【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
発光を独立に制御可能な複数の発光ブロックからなる複数の発光ブロック群と、
前記発光ブロック群ごとに設けられ、発光ブロック群に属する発光ブロックの発光特性を検出するための検出手段と、
を有する発光装置であって、
前記複数の発光ブロックは、異なる複数の発光ブロック群から１個ずつ選択される発光ブロックを１組として、全ての発光ブロックがいずれかの組に含まれるように組分けされており、
同じ組に属する複数の発光ブロックを同時に発光させ、同時に発光させた発光ブロックの各々の発光特性を各発光ブロックが属する発光ブロック群に対応する検出手段により取得する制御を、順次全ての組について行う取得手段を備え、
前記組分けは、同じ組に属する複数の発光ブロックが同時に発光するときに各検出手段が受光する光量のうち、各検出手段に対応する発光ブロック群に属する発光ブロックからの発光による光量と、当該発光ブロックと同時に発光する他の発光ブロックからの発光による光量と、の比である検出値比率の、全ての組における最小値が、可能な組分けのうちでより大きくなるように、決定されていることを特徴とする発光装置。
【請求項２】
発光を独立に制御可能な複数の発光ブロックからなる複数の発光ブロック群と、
前記発光ブロック群ごとに設けられ、発光ブロック群に属する発光ブロックの発光特性を検出するための複数の検出手段からなる検出手段群と、
を有する発光装置であって、
前記複数の発光ブロックは、異なる複数の発光ブロック群から１個ずつ選択される発光ブロックを１組として、全ての発光ブロックがいずれかの組に含まれるように組分けされており、
同じ組に属する複数の発光ブロックを同時に発光させ、同時に発光させた発光ブロックの各々の発光特性を各発光ブロックが属する発光ブロック群に対応する検出手段群のうち当該発光ブロックに最も近接する検出手段により取得する制御を、順次全ての組について行う取得手段を備え、
前記組分けは、同じ組に属する複数の発光ブロックが同時に発光するときに各検出手段が受光する光量のうち、各検出手段に対応する発光ブロック群に属する発光ブロックからの発光による光量と、当該発光ブロックと同時に発光する他の発光ブロックからの発光に
よる光量と、の比である検出値比率の、全ての組における最小値が、可能な組分けのうちでより大きくなるように、決定されていることを特徴とする発光装置。
【請求項３】
前記発光装置は、
各々複数の発光ブロックからなる第一の発光ブロック群および第二の発光ブロック群と、
前記第一の発光ブロック群に属する発光ブロックの発光特性を検出するための第一の検出手段と、
前記第二の発光ブロック群に属する発光ブロックの発光特性を検出するための第二の検出手段と、
を有し、
前記各組に属する発光ブロックは、前記第一の発光ブロック群および前記第二の発光ブロック群から１個ずつ選択される２個の発光ブロックであり、
前記取得手段は、同じ組に属する２個の発光ブロックを同時に発光させ、第一の発光ブロック群に属する発光ブロックの発光特性を第一の検出手段により取得し、第二の発光ブロック群に属する発光ブロックの発光特性を第二の検出手段により取得する制御を、順次全ての組について行い、
前記組分けは、
（１）第一の発光ブロック群に属する発光ブロックのうち第二の検出手段に最も近い発光ブロックと、第二の発光ブロック群に属する発光ブロックのうち第二の検出手段に最も近い発光ブロックと、を１組とするか、又は、
（２）第一の発光ブロック群に属する発光ブロックのうち第一の検出手段に最も近い発光ブロックと、第二の発光ブロック群に属する発光ブロックのうち第一の検出手段に最も近い発光ブロックと、を１組とするか、
の少なくともいずれかを、全ての発光ブロックがいずれかの組に含まれるまで繰り返すことにより決定されている請求項１に記載の発光装置。
【請求項４】
前記発光装置は、
各々複数の発光ブロックからなる第一の発光ブロック群および第二の発光ブロック群と、
前記第一の発光ブロック群に属する発光ブロックの発光特性を検出するための複数の検出手段からなる第一の検出手段群と、
前記第二の発光ブロック群に属する発光ブロックの発光特性を検出するための複数の検出手段からなる第二の検出手段群と、
を有し、
前記各組に属する発光ブロックは、前記第一の発光ブロック群および前記第二の発光ブロック群から１個ずつ選択される２個の発光ブロックであり、
前記取得手段は、同じ組に属する２個の発光ブロックを同時に発光させ、第一の発光ブロック群に属する発光ブロックの発光特性を前記第一の検出手段群のうち当該発光ブロックに最も近接する検出手段により取得し、第二の発光ブロック群に属する発光ブロックの発光特性を前記第二の検出手段群のうち当該発光ブロックに最も近接する検出手段により取得する制御を、順次全ての組について行い、
前記組分けは、
（１）第一の発光ブロック群に属する発光ブロックのうち、第二の検出手段群に最も近い発光ブロックと、第二の発光ブロック群に属する発光ブロックのうち、第二の検出手段群の中で第一の発光ブロック群から最も遠くに位置する検出手段に最も近い発光ブロックと、を１組とするか、又は、
（２）第一の発光ブロック群に属する発光ブロックのうち、第一の検出手段群の中で第二の発光ブロック群から最も遠くに位置する検出手段に最も近い発光ブロックと、第二の発光ブロック群に属する発光ブロックのうち、第一の検出手段群に最も近い発光ブロックと
、を１組とするか、
の少なくともいずれかを、全ての発光ブロックがいずれかの組に含まれるまで繰り返すことにより決定されている請求項２に記載の発光装置。
【請求項５】
前記取得手段により取得される発光特性の検出値と目標値との比較結果に基づき各発光ブロックの発光量を補正するキャリブレーション手段を備える請求項１から４のいずれか１項に記載の発光装置。
【請求項６】
前記検出手段は、発光ブロックの発光特性として輝度又は色度の少なくともいずれかを検出する請求項１から５のいずれか１項に記載の発光装置。
【請求項７】
前記発光装置は、液晶表示装置に用いられるバックライトである請求項１〜６のいずれか１項に記載の発光装置。
【請求項８】
発光を独立に制御可能な複数の発光ブロックからなる複数の発光ブロック群と、
前記発光ブロック群ごとに設けられ、発光ブロック群に属する発光ブロックの発光特性を検出するための検出手段と、
を有する発光装置のキャリブレーション方法であって、
前記複数の発光ブロックは、異なる複数の発光ブロック群から１個ずつ選択される発光ブロックを１組として、全ての発光ブロックがいずれかの組に含まれるように組分けされており、
同じ組に属する複数の発光ブロックを同時に発光させ、同時に発光させた発光ブロックの各々の発光特性を各発光ブロックが属する発光ブロック群に対応する検出手段により取得する制御を、順次全ての組について行う取得工程と、
前記取得工程において取得される発光特性の検出値と目標値との比較結果に基づき各発光ブロックの発光量を補正するキャリブレーション工程と、
を有し、
前記組分けは、同じ組に属する複数の発光ブロックが同時に発光するときに各検出手段が受光する光量のうち、各検出手段に対応する発光ブロック群に属する発光ブロックからの発光による光量と、当該発光ブロックと同時に発光する他の発光ブロックからの発光による光量と、の比である検出値比率の、全ての組における最小値が、可能な組分けのうちでより大きくなるように、決定されていることを特徴とする発光装置のキャリブレーション方法。
【請求項９】
発光を独立に制御可能な複数の発光ブロックからなる複数の発光ブロック群と、
前記発光ブロック群ごとに設けられ、発光ブロック群に属する発光ブロックの発光特性を検出するための複数の検出手段からなる検出手段群と、
を有する発光装置のキャリブレーション方法であって、
前記複数の発光ブロックは、異なる複数の発光ブロック群から１個ずつ選択される発光ブロックを１組として、全ての発光ブロックがいずれかの組に含まれるように組分けされており、
同じ組に属する複数の発光ブロックを同時に発光させ、同時に発光させた発光ブロックの各々の発光特性を各発光ブロックが属する発光ブロック群に対応する検出手段群のうち当該発光ブロックに最も近接する検出手段により取得する制御を、順次全ての組について行う取得工程と、
前記取得工程において取得される発光特性の検出値と目標値との比較結果に基づき各発光ブロックの発光量を補正するキャリブレーション工程と、
を有し、
前記組分けは、同じ組に属する複数の発光ブロックが同時に発光するときに各検出手段が受光する光量のうち、各検出手段に対応する発光ブロック群に属する発光ブロックから
の発光による光量と、当該発光ブロックと同時に発光する他の発光ブロックからの発光による光量と、の比である検出値比率の、全ての組における最小値が、可能な組分けのうちでより大きくなるように、決定されていることを特徴とする発光装置のキャリブレーション方法。
【手続補正２】
【補正対象書類名】明細書
【補正対象項目名】発明の名称
【補正方法】変更
【補正の内容】
【発明の名称】発光装置及びそのキャリブレーション方法
【手続補正３】
【補正対象書類名】明細書
【補正対象項目名】００１１
【補正方法】変更
【補正の内容】
【００１１】
本発明は、発光を独立に制御可能な複数の発光ブロックからなる複数の発光ブロック群と、
前記発光ブロック群ごとに設けられ、発光ブロック群に属する発光ブロックの発光特性を検出するための検出手段と、
を有する発光装置であって、
前記複数の発光ブロックは、異なる複数の発光ブロック群から１個ずつ選択される発光ブロックを１組として、全ての発光ブロックがいずれかの組に含まれるように組分けされており、
同じ組に属する複数の発光ブロックを同時に発光させ、同時に発光させた発光ブロックの各々の発光特性を各発光ブロックが属する発光ブロック群に対応する検出手段により取得する制御を、順次全ての組について行う取得手段を備え、
前記組分けは、同じ組に属する複数の発光ブロックが同時に発光するときに各検出手段が受光する光量のうち、各検出手段に対応する発光ブロック群に属する発光ブロックからの発光による光量と、当該発光ブロックと同時に発光する他の発光ブロックからの発光による光量と、の比である検出値比率の、全ての組における最小値が、可能な組分けのうちでより大きくなるように、決定されていることを特徴とする発光装置である。
【手続補正４】
【補正対象書類名】明細書
【補正対象項目名】００１２
【補正方法】変更
【補正の内容】
【００１２】
本発明は、発光を独立に制御可能な複数の発光ブロックからなる複数の発光ブロック群と、
前記発光ブロック群ごとに設けられ、発光ブロック群に属する発光ブロックの発光特性を検出するための複数の検出手段からなる検出手段群と、
を有する発光装置であって、
前記複数の発光ブロックは、異なる複数の発光ブロック群から１個ずつ選択される発光ブロックを１組として、全ての発光ブロックがいずれかの組に含まれるように組分けされており、
同じ組に属する複数の発光ブロックを同時に発光させ、同時に発光させた発光ブロックの各々の発光特性を各発光ブロックが属する発光ブロック群に対応する検出手段群のうち当該発光ブロックに最も近接する検出手段により取得する制御を、順次全ての組について行う取得手段を備え、
前記組分けは、同じ組に属する複数の発光ブロックが同時に発光するときに各検出手段が受光する光量のうち、各検出手段に対応する発光ブロック群に属する発光ブロックからの発光による光量と、当該発光ブロックと同時に発光する他の発光ブロックからの発光による光量と、の比である検出値比率の、全ての組における最小値が、可能な組分けのうちでより大きくなるように、決定されていることを特徴とする発光装置である。
【手続補正５】
【補正対象書類名】明細書
【補正対象項目名】００１３
【補正方法】変更
【補正の内容】
【００１３】
本発明は、発光を独立に制御可能な複数の発光ブロックからなる複数の発光ブロック群と、
前記発光ブロック群ごとに設けられ、発光ブロック群に属する発光ブロックの発光特性を検出するための検出手段と、
を有する発光装置のキャリブレーション方法であって、
前記複数の発光ブロックは、異なる複数の発光ブロック群から１個ずつ選択される発光ブロックを１組として、全ての発光ブロックがいずれかの組に含まれるように組分けされており、
同じ組に属する複数の発光ブロックを同時に発光させ、同時に発光させた発光ブロックの各々の発光特性を各発光ブロックが属する発光ブロック群に対応する検出手段により取得する制御を、順次全ての組について行う取得工程と、
前記取得工程において取得される発光特性の検出値と目標値との比較結果に基づき各発光ブロックの発光量を補正するキャリブレーション工程と、
を有し、
前記組分けは、同じ組に属する複数の発光ブロックが同時に発光するときに各検出手段が受光する光量のうち、各検出手段に対応する発光ブロック群に属する発光ブロックからの発光による光量と、当該発光ブロックと同時に発光する他の発光ブロックからの発光による光量と、の比である検出値比率の、全ての組における最小値が、可能な組分けのうちでより大きくなるように、決定されていることを特徴とする発光装置のキャリブレーション方法である。
【手続補正６】
【補正対象書類名】明細書
【補正対象項目名】００１４
【補正方法】変更
【補正の内容】
【００１４】
本発明は、発光を独立に制御可能な複数の発光ブロックからなる複数の発光ブロック群と、
前記発光ブロック群ごとに設けられ、発光ブロック群に属する発光ブロックの発光特性を検出するための複数の検出手段からなる検出手段群と、
を有する発光装置のキャリブレーション方法であって、
前記複数の発光ブロックは、異なる複数の発光ブロック群から１個ずつ選択される発光ブロックを１組として、全ての発光ブロックがいずれかの組に含まれるように組分けされており、
同じ組に属する複数の発光ブロックを同時に発光させ、同時に発光させた発光ブロックの各々の発光特性を各発光ブロックが属する発光ブロック群に対応する検出手段群のうち当該発光ブロックに最も近接する検出手段により取得する制御を、順次全ての組について行う取得工程と、
前記取得工程において取得される発光特性の検出値と目標値との比較結果に基づき各発
光ブロックの発光量を補正するキャリブレーション工程と、
を有し、
前記組分けは、同じ組に属する複数の発光ブロックが同時に発光するときに各検出手段が受光する光量のうち、各検出手段に対応する発光ブロック群に属する発光ブロックからの発光による光量と、当該発光ブロックと同時に発光する他の発光ブロックからの発光による光量と、の比である検出値比率の、全ての組における最小値が、可能な組分けのうちでより大きくなるように、決定されていることを特徴とする発光装置のキャリブレーション方法である。